(57)【要約】【課題】部品点数を低減し、製造コストの低減、組立て性の向上を図ることが可能な表示装置を提供する。【解決手段】表示装置は、矩形状の前面ガラスパネル１２と、前面ガラスパネルの内面に接着され、前面ガラスパネルの周縁部に沿って配置されているとともに複数の係合片２８ａを有する取付け金具２４ｃ、２４ｆと、前面ガラスパネルの内面に重ねて配置され、取付け金具により周縁部が保持された表示パネル１４と、取付け金具に装着されて前面パネルの内面上に取付けられ、表示パネルの周囲を囲んだ化粧枠１６であって、取付け金具の係合片に係合した係合溝４８と、取付け金具と係合する係合突起５０と、係合突起に隣接して係合溝の底に形成されたスリット５２と、を具備する化粧枠と、を備えている。【選択図】図８
2012037672.tif 000002
【特許請求の範囲】
【請求項１】
矩形状の前面ガラスパネルと、
前記前面ガラスパネルの内面に接着され、前記前面ガラスパネルの周縁部に沿って配置されているとともに複数の係合片を有する取付け金具と、
前記前面ガラスパネルの内面に重ねて配置され、前記取付け金具により周縁部が保持された表示パネルと、
前記取付け金具に装着されて前記前面パネルの内面上に取付けられ、前記表示パネルの周囲を囲んだ化粧枠であって、前記取付け金具の係合片に係合した係合溝と、前記取付け金具と係合する係合突起と、前記係合突起に隣接して前記係合溝の底に形成されたスリットと、を具備する化粧枠と、
を備える表示装置。
【請求項２】
前記取付け金具は、前記前面ガラスパネルの少なくとも複数辺に沿って配置され、
前記取付け金具は、前記前面ガラスパネルの内面に接着された底壁と、前記前面ガラスパネルに対して起立され前記表示パネルの側面と対向する起立壁と、前記底壁から切り起こされ前記起立壁と隙間を置いて対向し前記係合片を構成する切起し片と、を一体に有している請求項１に記載の表示装置。
【請求項３】
前記化粧枠は、前記前面ガラスパネルの内面に当接する凸部を有する枠状の枠本体と、前記枠本体の内周側で、枠本体の側辺に沿って連続的あるいは間欠的に設けられた固定枠部と、前記固定枠部に形成され前記取付け金具の係合片に係合する前記係合溝と、を有している請求項２に記載の表示装置。
【請求項４】
前記化粧枠の係合突起は、前記固定枠部から突出して前記取付け金具の係合孔に係合され、前記スリットは、前記係合突起の近傍で前記固定枠部に形成されている請求項２又は３に記載の表示装置。
【請求項５】
前記表示パネルの背面および取付け金具を覆う背面カバーを備え、
前記化粧枠は、前記枠本体の辺に沿って延びる固定溝を有し、前記背面カバーの周縁部は前記化粧枠の固定溝に嵌合されている請求項３又は４に記載の表示装置。
【請求項６】
前面カバーと、
前記前面カバーの内面側に重ねられた表示パネルと、
前記表示パネルを囲んで設けられた化粧枠と、
前記前面カバーの内面に接着され、前記前面カバーと前記表示パネルと前記化粧枠とを固定した取付け部材と、
を備える表示装置。
【請求項７】
前記取付け部材は、前記化粧枠の係合溝に係合した係合片を有している請求項６に記載の表示装置。
【請求項８】
前記化粧枠は、前記取付け部材の係合片に係合した係合溝の近傍に設けられ前記取付け部材と係合する係合突起を有している請求項７に記載の表示装置。
【請求項９】
前記化粧枠は、前記係合突起に隣接して前記係合溝の底に形成されたスリットを有している請求項８に記載の表示装置。
【発明の詳細な説明】
【技術分野】
【０００１】
この発明の実施形態は、前面カバーを有する表示装置に関する。
【背景技術】
【０００２】
近年、液晶ディスプレイ、プラズマディスプレイ等の大型の平面表示装置が多数提供されている。これらの表示装置は、ディスプレイパネルと、このディスプレイパネルの少なくとも前面周縁部を覆う前面カバーと、パネル周縁部に取付けられた化粧枠と、ディスプレイパネルの背面側を覆う背面カバーと、を有している。通常、前面カバーおよび化粧枠は、別々の取付け金具、あるいは、ねじ止め等により、ディスプレイパネルあるいは前面カバーに取付けられている。
【先行技術文献】
【特許文献】
【０００３】
【特許文献１】特開２００８−７０５１７号公報
【発明の概要】
【発明が解決しようとする課題】
【０００４】
上記のように、化粧枠を固定するための別部品を用いる場合、部品点数が増加し、表示装置の製造コストの低減および生産性の向上を図る上で障害となる。
【０００５】
この発明の目的は、部品点数を低減し、製造コストの低減、組立て性の向上を図ることが可能な表示装置を提供することにある。
【課題を解決するための手段】
【０００６】
実施態様に係る表示装置は、矩形状の前面ガラスパネルと、前記前面ガラスパネルの内面に接着され、前記前面ガラスパネルの周縁部に沿って配置されているとともに複数の係合片を有する取付け金具と、前記前面ガラスパネルの内面に重ねて配置され、前記取付け金具により周縁部が保持された表示パネルと、前記取付け金具に装着されて前記前面パネルの内面上に取付けられ、前記表示パネルの周囲を囲んだ化粧枠であって、前記取付け金具の係合片に係合した係合溝と、前記取付け金具と係合する係合突起と、前記係合突起に隣接して前記係合溝の底に形成されたスリットと、を具備する化粧枠と、を備えている。
【図面の簡単な説明】
【０００７】
【図１】図１は、実施形態に係る薄型テレビを示す斜視図。
【図２】図２は、前記薄型テレビの背面側を示す分解斜視図。
【図３】図３は、背面カバーを取外して前記薄型テレビの背面側を示す斜視図。
【図４】図４は、化粧枠の角部、前面パネル、および取付け金具を示す分解斜視図。
【図５】図５は、化粧枠の裏面側を示す平面図。
【図６】図６は、前記化粧枠の一部、例えば、角部を拡大して示す斜視図。
【図７】図７は、図６の線Ｂ−Ｂに沿った化粧枠の断面図。
【図８】図８は、図３の線Ａ−Ａに沿った薄型テレビの断面図。
【発明を実施するための形態】
【０００８】
以下図面を参照しながら、実施形態に係る表示装置について詳細に説明する。
【０００９】
図１ないし図８は、表示装置として、実施形態に係る薄型テレビを示している。なお、本発明が適用可能な表示装置は、上記に限定されるものではない。本発明は、種々の表示装置に広く適用可能である。
【００１０】
図１ないし図３に示すように、薄型テレビ１０は、例えば、矩形板状の前面パネル１２と、前面パネル１２の内面上に重ねて配置された表示パネル１４と、表示パネル１４の周囲を囲んだ矩形状の化粧枠１６と、表示パネル１４の背面側を覆う背面カバー１８と、表示パネル１４をほぼ垂直な状態に支持したスタンド２０と、を備えている。
【００１１】
前面カバーとして機能する前面パネル１２は、透明な板材、例えば、透明なガラスパネルにより形成されている。前面パネル１２は、ガラスに限らず、透明な樹脂板等を用いることも可能である。
【００１２】
表示パネル１４は、例えば液晶ディスプレイ（ＬＣＤ）、プラズマディスプレイ、または有機エレクトロルミネッセンスディスプレイ（有機ＥＬディスプレイ）などである。表示パネル１４は、例えば、液晶ディスプレイパネルと、液晶ディスプレイパネルの背面側に配設された図示しない、光学シート、バックライト等を備えている。表示パネル１４は、その前面、すなわち、表示面、の周縁部が図示しないベゼルにより保持され、背面側が金属フレーム２２により覆われている。表示パネル１４は、全体として、偏平な矩形板状に形成されている。表示パネル１４は、前面パネル１２よりも僅かに小さな平面寸法に形成されている。
【００１３】
図１に示すように、表示パネル１４は、その表面が前面パネル１２の内面に重なって配置され、これにより、前面パネル１２は矩形状の表示面１２ａを形成している。前面パネル１２の内面あるいは外面の周縁部は、僅かな幅で、例えば、黒色メッシュ等の遮光印刷が施され、あるいは、遮光フィルムが貼付され、矩形枠状の額縁部１２ｂを形成している。
【００１４】
図２ないし図４、図８に示すように、それぞれ取付け部材として機能する複数の取付け金具２４ａ、２４ｂ、２４ｃ、２４ｄ、２４ｅ、２４ｆ、２４ｇ、２４ｈが前面パネル１２の内面周縁部に接着されている。各取付け金具は、例えば、両面テープ１５により前面パネル内面に貼付されている。複数の取付け金具２４ａ〜２４ｈは、前面パネル１２の上辺１３ａ、および左右の側辺１３ｂに沿って間欠的、すなわち、適当な隙間を置いて、並んで配置されている。前面パネル１２の上側の２つの角部、および下側の２つの角部では、各角部に沿って直角に折り曲げられた取付け金具２４ｃ、２４ｅ、２４ｆ、２４ｈがそれぞれ配置されている。これらの取付け金具２４ａ〜２４ｈは、前面パネル１２の額縁部１２ｂ内面、すなわち、遮光された領域に、貼付され、前面パネル１２の表示面側から透けて見えないように配置されている。なお、本実施形態では、取付け金具は、複数に分割された構成としているが、これに限らず、枠状に連続する取付け金具としてもよい。
【００１５】
各取付け金具２４ａ〜２４ｈは、細長い金属平板をほぼ断面Ｌ字状となるように折曲げて形成され、前面パネル１２と平行に対向し両面テープ１５により前面パネル１２内面に貼付された底壁２６ａと、前面パネル内面に対してほぼ垂直に起立した起立壁２６ｂと、を有している。
【００１６】
図４および図８に示すように、各取付け金具２４ａ〜２４ｈは、底壁２６ａの一部が直角に切り起こされ起立壁２６ｂと隙間を置いて対向する切起し片、ここでは、係合片（ヒレ）２８ａと、この係合片から僅かにずれた位置で、底壁２６ａと起立壁２６ｂとの境界部分に形成された係合孔２８ｂと、を少なくとも１つずつ有している。本実施形態において、比較的長い取付け金具２４ａ、２４ｄ、２４ｇには、長手方向に離間した複数個所に、係合片２８ａおよび係合孔２８ｂが形成されている。比較的短い取付け金具２４ｂ、２４ｃ、２４ｅ、２４ｆ、２４ｈには、長手方向の両端部分に係合片２８ａおよび係合孔２８ｂが形成されている。角部に設けられた直角の取付け金具２４ｃ、２４ｆには、角部の両側、および各延出端部に、係合片２８ａおよび係合孔２８ｂが形成されている。
【００１７】
前面パネル１２の上側の２つの角部に設けられた取付け金具２４ｃ、２４ｆは、直角の角部を跨いで延びているとともに前面パネルと所定の間隔をおいてほぼ平行に対向したブリッジ部、あるいは、保持部３０を一体に有している。
【００１８】
図２および図３に示すように、前面パネル１２の上辺１３ａ側に配置された取付け金具２４ａは、起立壁２６ｂの上端から表示パネル１４側に延出する複数のフック部３２を一体に有している。図３および図４に示すように、前面パネル１２の各側辺１３ｂに沿って配置された取付け金具２４ｄ、２４ｇは、それぞれ起立壁２６ｂの上端から表示パネル１４と反対側に延出しているとともにねじ孔が形成された複数の固定ブラケット３４を一体に有している。これらの固定ブラケット３４は、前面パネル１２の側縁に沿って所定の間隔を置いて設けられている。
【００１９】
図２および図３に示すように、前面パネル１２の下辺１３ｃ側両角部に設けられた取付け金具２４ｅ、２４ｈは、それぞれＬ字状に折り曲げられた底壁２６ａと、前面パネル１２側辺側の底壁から直角に起立した起立壁２６ｂと、を一体に備えている。取付け金具２４ｅ、２４ｈは、起立壁２６ｂの上端から表示パネル１４と反対側に延出しているとともに係合孔３６ａが形成された係合ブラケット３６を一体に有している。係合孔３６ａは、前面パネル１２の側辺１３ｂと平行に延びる長孔に形成されている。底壁２６ａの内、前面パネル１２の下辺１３ｃに沿って延びる部分に、円柱形状の係合ピン３８およびボス４０が立設されている。ボス４０にはねじ孔が形成されている。更に、この底壁２６ａに、ロック用のブラケット４１が前面パネル１２に対して垂直に立設されている。
【００２０】
図２に示すように、前面パネル１２内面の下辺側周縁部に、複数、例えば、４つの矩形板状の固定金具４２ａ、４２ｂ、４２ｃ、４２ｄが接着され、パネル下辺１３ｃに沿って間隔を置いて並んでいる。固定金具４２ａ、４２ｂ、４２ｃ、４２ｄの各々には、円柱形状のボス４４が立設され、前面パネル１２に対して垂直に延びている。各ボス４４にはねじ孔が形成されている。
【００２１】
上述した複数の取付け金具２４ａ〜２４ｈにより、前面パネル１２と、表示パネル１４と、化粧枠１６とが一括して固定されている。すなわち、図２ないし図８に示すように、化粧枠１６は、矩形枠状の枠本体１６ａと、枠本体の内周側で、枠本体の両側辺および上辺に沿って連続的あるいは間欠的に設けられた固定枠部１６ｂと、を有し、弾性を有する材料、例えば、合成樹脂により一体に成形されている。枠本体１６ａは、前面パネル１２の外形寸法とほぼ等しい外径に形成されている。
【００２２】
枠本体１６ａは、前面パネル１２側に突出し、前面パネルの内面に当接する凸部１６ｃを有し、この凸部１６ｃは、枠本体の全周に渡って連続している。枠本体１６ａの後面側、つまり、前面パネル１２と反対側には、全周に渡って、傾斜面１６ｄが形成されている。枠本体１６ａと固定枠部１６ｂとの間に、枠本体の後面側に開口する保持溝４６が形成されている。この保持溝４６は、枠本体１６ａの両側辺および上辺に沿って連続して延在している。保持溝４６には、後述する背面カバー１８の周縁部が嵌合される。
【００２３】
化粧枠１６の固定枠部１６ｂは、それぞれ断面がほぼＵ字形状に形成され、前面パネル１２の各辺に沿って延びる一対の周壁と、前面パネルと隙間を置いて平行に延びる底壁とを一体に有している。各固定枠部１６ｂは、前面パネル１２側に開口する係合溝４８を形成している。枠本体１６ａの上辺１３ａ側両角部において、固定枠部１６ｂは角部に沿って直角に曲がりながら連続して設けられている。
【００２４】
図５ないし図８に示すように、固定枠部１６ｂの複数個所、例えば、化粧枠１６の上辺部において８箇所、各側辺部において４箇所に係合突起５０、あるいは係合爪が一体に設けられている。これらの係合突起５０は、化粧枠１６の各辺に沿って所定の間隔を置いて設けられている。化粧枠１６の上辺側角部においては、各角の両側にそれぞれ係合突起５０が設けられている。
【００２５】
図２、図５ないし図８に示すように、係合突起５０は、固定枠部１６ｂの内周壁の前面パネル側端から化粧枠１６の内側に向かって、つまり、表示パネル１４側に向かって突出している。後述するように、係合突起５０は、対応する取付け金具の係合孔２８ｂと係合可能に形成されている。
【００２６】
固定枠部１６ｂにおいて、係合突起５０が設けられている部分の底壁に、長孔状のスリット５２が貫通形成され、係合溝に連通している。スリット５２は、化粧枠１６の辺と平行に延び、係合突起５０と重なって位置している。このようなスリット５２を設けることにより、組立て時、係合突起５０が設けられている固定枠部１６ｂの部分を比較的容易に弾性変形させることができ、係合突起５０を取付け金具の係合孔２８ｂに引っ掛け易くすることができる。
【００２７】
図２および図５に示すように、枠本体１６ａの下辺部は、複数、例えば、２つの係合片５６を有している。これらの係合片５６は、枠本体１６ａから表示パネル１４側に突出し、前面パネルと平行に対向する。各係合片５６には透孔５６ａが形成されている。
【００２８】
上記のように構成された化粧枠１６は、取付け金具２４ａ〜２４ｈに装着されて前面パネル１２に固定され、表示パネル１４の周囲を囲んでいる。図３、図４、図６、図８に示すように、化粧枠１６は、その全体を取付け金具２４ａ〜２４ｈの上から取付け金具の外側に被せられている。化粧枠１６の各固定枠部１６ｂは、取付け金具２４ａ〜２４ｈの起立壁２６ｂの外面側で、かつ、底壁２６ａ上に載置される。その際、取付け金具２４ａ〜２４ｈの係合片２８ａを固定枠部１６ｂの係合溝４８に係合させ、固定枠部１６ｂの周壁を係合片２８ａと起立壁２６ｂとの間に挟みこむ。更に、固定枠部１６ｂの係合突起５０を取付け金具２４ａ〜２４ｈの係合孔２８ｂに引っ掛けて係合する。この際、スリット５２の位置で固定枠部１６ｂを撓ませることにより、係合突起５０を取付け金具の係合孔２８ｂに容易に係合させることができる。また、化粧枠１６の固定枠部１６ｂは、取付け金具２４ｄ、２４ｇの固定ブラケット３４および係合ブラケット３６に対応する部分が除かれているため、これら固定ブラケットおよびロック用ブラケットに引っ掛かることなく、化粧枠１６を取付け金具２４ａ〜２４ｈに装着することができる。これにより、化粧枠１６は、その固定枠部１６ｂが取付け金具２４ａ〜２４ｈの底壁２６ａを覆っているとともに、凸部１６ｃが前面パネル１２の内面に当接した状態で、取付け金具および前面パネル１２に固定され、取付け金具２４ａ〜２４ｈおよび表示パネル１４を囲んでいる。
【００２９】
枠本体１６ａの下辺部は、前面パネル１２の内面に接触した状態で配置され、各係合片５６の透孔５６ａに取付け金具４２ｂ、４２ｃのボス４４が挿通されている。係合片５６がボス４４と係合することにより、枠本体１６ａの下辺部が前面パネル１２に対して位置決めされている。
【００３０】
図２および図３に示すように、前面パネル１２の下辺側において、細長い板状のボトムプレート６０が化粧枠１６上に載置されている。ボトムプレート６０は、例えば、センター、および両サイドの３つの部材を有し、これらの部材を互いに連結して構成されている。ボトムプレート６０は、取付け金具４２ａ〜４２ｄに立設されたボス４４に係合する複数の係合部、および取付け金具２４ｅ、２４ｈに立設された係合ピン３８およびボス４０に係合する係合部を有し、前面パネル１２の下辺に沿って立設した状態で前面パネルに取付けられている。
【００３１】
図２、図３、図８に示すように、表示パネル１４は、その表示面側が前面パネル１２の内面に向かい合った状態で前面パネルに重ねて載置され、更に、前面パネルの上辺側にスライドすることにより、表示パネル周囲が取付け金具２４ａ〜２４ｈの起立壁２６ｂに当接している。これにより、表示パネル１４は、取付け金具２４ａ〜２４ｈにより前面パネル１２の面方向への移動が規制され、位置決め保持される。表示パネル１４の上側両角部は、取付け金具２４ｃ、２４ｆの保持部３０と前面パネル１２との間にそれぞれ嵌め込まれている。更に、表示パネル１４の下側両角部は、取付け金具２４ｅ、２４ｈの係合ピン３８および係合ブラケット３６に装着された固定金具６２により、それぞれ上から押さえられている。これにより、表示パネル１４は、前面パネル１２の内面と垂直な方向への移動が規制され、前面パネル１２に当接した位置に保持されている。
【００３２】
なお、図４および図８に示すように、前面パネル１２の内面において、表示パネル１４の外周部と対向する位置に、例えば、ゴムシート等からなる帯状のパッキン６６が貼付されている。表示パネル１４は、パッキン６６を介して前面パネル１２の内面に当接している。
【００３３】
表示パネル１４の背面上には、図示しない液晶駆動回路基板、コントローラ基板、電源回路基板等が実装される。図３に示すように、表示パネル１４の背面下部の中央部に矩形状のベース板６４がねじ止め固定されている。このベース板６４に、スタンド２０の脚部２０ａ（図１参照）が固定される。
【００３４】
図２および図８に示すように、前面パネル１２および表示パネル１４の背面は、背面カバー１８により覆われている。背面カバー１８はほぼ矩形状の金属板により形成され、その上辺部および両側辺部は、前面パネル側に湾曲し、端縁部が直角に折曲げられている。背面カバー１８は、上辺の端縁部および両側辺の端縁部が化粧枠１６の保持溝４６に嵌まり込まれた状態で化粧枠１６に装着され、表示パネル１４の背面および取付け金具を覆っている。背面カバー１８の下辺部は、ボトムプレート６０に重ねて配置されている。更に、背面カバー１８は、複数のねじにより、取付け金具の固定ブラケット３４、複数のボス４０、４４、および表示パネル１４の背面に設けられた図示しないねじ止め部に外側からねじ止めされている。
【００３５】
上記のように構成された薄型テレビ１０によれば、前面パネル１２に接着された複数の取付け金具２４ａ〜２４ｈにより、表示パネル１４、化粧枠１６および前面パネル１２を一括して取付け固定している。すなわち、化粧枠１６は、取付け金具２４ａ〜２４ｈに装着することにより、前面パネル１２に固定され、表示パネル１４の周囲を囲んでいる。これにより、化粧枠１６を取付けるための独立した固定部材、ねじ等が不要となり、部品点数を削減し、薄型テレビの構造の簡略化および製造コスト低減を図ることができる。更に、化粧枠１６は、取付け金具の係合片２８ａおよび係合孔２８ｂに嵌め込むだけの簡単な操作により、前面パネル１２に固定することができ、組立て性の向上を図ることができる。同時に、表示パネル１４は、ねじ止め等を行うことなく、取付け金具２４ａ〜２４ｈおよび固定金具６２により容易に前面パネル１２に取付けることができ、製造コストの低減、および組立て効率の向上を図ることが可能となる。
【００３６】
化粧枠１６は、前面パネル１２の外径以下の外径とし、前面パネル１２の内面の範囲内に重ねて配置することができる。すなわち、化粧枠１６が前面パネル１２の外周から外側に張り出すことがなく、表示面の額縁部分の幅を狭くすることができる。
【００３７】
複数の分割された取付け金具を前面パネルに固定する構成としたが、取り付け金具は、枠状に連続した単一の金具により構成してもよい。本実施形態にように、複数の分割された取付け金具を用いる場合、テレビのサイズに合わせて、取付け金具間の間隔を変更することにより、種々のサイズのテレビ、表示パネルに取付け金具を適合させることができる。
【００３８】
本発明の実施形態を説明したが、この実施形態は、例として提示したものであり、発明の範囲を限定することは意図していない。新規な実施形態は、その他の様々な形態で実施されることが可能であり、発明の要旨を逸脱しない範囲で、種々の省略、置き換え、変更を行うことができる。実施形態やその変形は、発明の範囲や要旨に含まれるとともに、特許請求の範囲に記載された発明とその均等の範囲に含まれる。
【００３９】
本発明の表示装置は、薄型テレビに限らず、例えばパーソナルコンピュータ用のディスプレイとしても実施可能である。その他、表示装置は、発明の要旨を逸脱しない範囲で種々変形して実施することができる。前面カバーは、矩形板状の前面パネルとしたが、これに限らず、例えば、矩形枠状のパネルとして、表示パネルの表示面を露出する構成としてもよい。
【符号の説明】
【００４０】
１０…薄型テレビ、１２…前面パネル、１４…表示パネル、１６…化粧枠、
１６ａ…枠本体、１６ｂ…固定枠部、１８…背面カバー、
２４ａ〜２４ｈ…取付け金具、２６ａ…底壁、２６ｂ…起立壁、２８ａ…係合片、
２８ｂ…係合孔、４６…固定溝、４８…係合溝、５０…係合突起、５２…スリット
【図１】
2012037672.tif 000003
【図２】
2012037672.tif 000004
【図３】
2012037672.tif 000005
【図４】
2012037672.tif 000006
【図５】
2012037672.tif 000007
【図６】
2012037672.tif 000008
【図７】
2012037672.tif 000009
【図８】
2012037672.tif 000010
【手続補正書】
【提出日】平成23年12月5日(2011.12.5)
【手続補正１】
【補正対象書類名】明細書
【補正対象項目名】０００６
【補正方法】変更
【補正の内容】
【０００６】
実施形態に係る表示装置は、矩形状の透明な前面パネルと、前記前面パネルの内面に接着され、前記前面パネルの周縁部に沿って配置された取付け金具と、前記前面パネルの内面上に配置され、前記取付け金具により周縁部が保持された表示パネルと、前記取付け金具に装着されて前記前面パネルの内面上に取付けられ、前記表示パネルの周囲を囲んだ化粧枠と、を備えている。
【手続補正２】
【補正対象書類名】特許請求の範囲
【補正対象項目名】全文
【補正方法】変更
【補正の内容】
【特許請求の範囲】
【請求項１】
矩形状の透明な前面パネルと、
前記前面パネルの内面に接着され、前記前面パネルの周縁部に沿って配置された取付け金具と、
前記前面パネルの内面上に配置され、前記取付け金具により周縁部が保持された表示パネルと、
前記取付け金具に装着されて前記前面パネルの内面上に取付けられ、前記表示パネルの周囲を囲んだ化粧枠と、
を備える表示装置。
【請求項２】
前記取付け金具は、複数の係合片を有し、前記化粧枠は前記取付け金具の係合片に係合した係合溝を有している請求項１に記載の表示装置。
【請求項３】
前記化粧枠は、前記係合溝の近傍に設けられ前記取付け金具と係合する係合突起を有している請求項２に記載の表示装置。
【請求項４】
前記化粧枠は、前記係合突起に隣接して前記係合溝の底に形成されたスリットを有している請求項３に記載の表示装置。
【請求項５】
前記取付け金具は、前記前面ガラスパネルの少なくとも複数辺に沿って配置され、
前記取付け金具は、前記前面ガラスパネルの内面に接着された底壁と、前記前面ガラスパネルに対して起立され前記表示パネルの側面と対向する起立壁と、前記底壁から切り起こされ前記起立壁と隙間を置いて対向し前記係合片を構成する切起し片と、を一体に有している請求項２ないし４のいずれか１項に記載の表示装置。
【請求項６】
前記化粧枠は、前記前面ガラスパネルの内面に当接する凸部を有する枠状の枠本体と、前記枠本体の内周側で、枠本体の側辺に沿って連続的あるいは間欠的に設けられた固定枠部と、前記固定枠部に形成され前記取付け金具の係合片に係合する前記係合溝と、を有している請求項２ないし５のいずれか１項に記載の表示装置。
【請求項７】
前記化粧枠の係合突起は、前記固定枠部から突出して前記取付け金具の係合孔に係合され、前記スリットは、前記係合突起の近傍で前記固定枠部に形成されている請求項６に記載の表示装置。
【請求項８】
前記表示パネルの背面および取付け金具を覆う背面カバーを備え、
前記化粧枠は、前記枠本体の辺に沿って延びる固定溝を有し、前記背面カバーの周縁部は前記化粧枠の固定溝に嵌合されている請求項６又は７に記載の表示装置。